(57)【要約】【課題】  磁心へのバスバーの貫通、及び、磁心へのバスバー端部の位置決めが容易な、コモンモードチョークを提供することを目的としている。【解決手段】  環状の磁心と、ケースと、２本のバスバーを有し、  前記バスバーは、中腹部に樹脂部を備え、かつ、前記ケースの軸方向に見た場合に、一端側は、前記ケースの中空部より外側まで屈曲し、他端側は中空部の内側にあり、  前記２本のバスバーは、  屈曲した側が前記ケースの軸方向のそれぞれ別側に配置されるように、前記ケースに貫通され、かつ、  それぞれの前記樹脂部を介して前記中空部内で並列に配置されるとともに、前記樹脂部により、前記軸方向の所定位置で、前記ケースに係止されている、ことを特徴とするコモンモードチョーク。【選択図】        図１
2019169499.tif 000002
【特許請求の範囲】
【請求項１】
環状の磁心と、前記磁心を覆う環状のケースと、前記ケースの中空部を２本のバスバーが貫通するコモンモードチョークであって、
前記バスバーは、中腹部に樹脂部を備え、かつ、前記ケースの軸方向に見た場合に、一端側は、前記ケースの中空部より外側まで屈曲し、他端側は中空部の内側にあり、
前記２本のバスバーは、
屈曲した側が前記ケースの軸方向のそれぞれ別側に配置されるように、前記ケースに貫通され、かつ、
それぞれの前記樹脂部を介して前記中空部内で並列に配置されるとともに、
前記樹脂部により、前記軸方向の所定位置で、前記ケースに係止されている、ことを特徴とするコモンモードチョーク。
【請求項２】
前記バスバーは、前記樹脂部の前記一端側に形成された鍔部により、前記ケースの端部で係止されていることを特徴とするコモンモードチョーク。
【請求項３】
前記ケースの軸方向において、前記樹脂部の端部は、他の樹脂部の端部と異なる位置にあることを特徴とする請求項１または２に記載のコモンモードチョーク。
【請求項４】
それぞれの前記樹脂部は、前記中空部内で互いに隣接した状態で、前記ケース内周面に接していることを特徴とする請求項１から３のいずれかに記載のコモンモードチョーク。
【請求項５】
前記樹脂部とケースは、前記の接する部分において、前記バスバーの抜け落ちを防止可能な嵌合部が形成されていることを特徴とする請求項４に記載のコモンモードチョーク。
【請求項６】
前記環状の磁心は、周方向で一体的に形成されたものであることを特徴とする請求項１乃至５のいずれかに記載のコモンモードチョーク。
【請求項７】
前記磁心とケースは、軸方向に複数配置されることを特徴とする請求項１乃至６のいずれかに記載のコモンモードチョーク。
【請求項８】
前記樹脂部は、バスバーの中腹部にインジェクション成型されたものであることを特徴とする請求項１乃至７のいずれかに記載のコモンモードチョーク。
【発明の詳細な説明】
【技術分野】
【０００１】
本発明は、環状の磁心と、この磁心を覆う環状のケースと、このケースの中空部を複数の導体が貫通する、コモンモードチョークに関する。
【背景技術】
【０００２】
モータ駆動ではインバータなどの電力変換器を使用して電力変換することでモータ駆動の省エネが進められている。電力変換器は、パワー半導体をスイッチングすることで電力を変換するが、半導体のスイッチングからノイズが発生するという問題がある。ノイズにはコモンモードノイズとディファレンシャルモードノイズがある。特にコモンモードノイズによる漏れ電流は他の機器への影響を及ぼすため対策が重要となる。
コモンモードノイズの対策としてコモンモードチョークが用いられる。コモンモードチョークは、ナノ結晶軟磁性材料やＭｎ−Ｚｎフェライト等の高透磁率の環状の磁心が採用されている。コモンモードチョークとして、環状の磁心を電源配線に直接取り付けるタイプがある。
【０００３】
電源配線として、車載などの大電流が流れるインバータ等では、バスバーと呼ばれる断面が矩形の導体（銅板）が用いられることがある。複数のバスバーを用いる場合、バスバー同士の間にも電圧がかかるため、バスバーの間の絶縁性を確保するための工夫が設けられる。
【０００４】
例えば、特許文献１には、導体貫通型磁心ユニットを用いたノイズフィルターに関する技術が開示される。詳細には、特許文献１は、磁性材料により形成され、その内周側にバスバーが貫通する環状の磁心と、導電性材料により形成され、両端側にそれぞれ端子部が形成されているとともに、その中央側の少なくとも一部が平板状に形成され、前記中空部を互いに所定の間隔を存して板厚方向に積層された状態で貫通する複数のバスバーと、樹脂材料で形成され、前記磁心および前記バスバーを、前記端子部を露出した状態で一体にモールドするモールド部材と、を備えることを特徴とするフィルター付き端子台が開示されている。
特許文献１に記載されたバスバーは、環状の磁心の中空部に通すことができる程度に、３本中２本が屈曲され、この２本のバスバーが蛇行されながら磁心に通された後、中央の直線状のバスバーが挿入され、その後、それぞれのバスバー間に絶縁ボビンが挿入される。
【先行技術文献】
【特許文献】
【０００５】
【特許文献１】特開２０１６−２４９３９号
【発明の概要】
【発明が解決しようとする課題】
【０００６】
特許文献１に記載のノイズフィルターは、バスバーの両端側が屈曲したものを用いている。この理由は、それぞれのバスバーが直線状であると、バスバーの端部が同じスペースに配置されやすくなり、バスバーの端部と外部の電気回路の外部導体とを、ボルト等で結合するスペースが十分に取れないため、バスバーを屈曲させて、両者の結合スペースを確保するためである。
【０００７】
しかし、導体貫通型のコモンモードチョークは、組み立てが容易なものが求められる。もし環状の磁心が軸方向に長いものである場合、バスバーの両端を屈曲させてしまうと、バスバーを磁心の中空部に貫通させることができない。バスバーを細くして弾力性を持たせ、磁心を貫通させやすくする手段も考えられるが、バスバーの断面積が小さくなるので、大きな電流を流す用途では採用できない。
環状の磁心にバスバーを貫通させる他の方法として、周方向で分割可能な環状の磁心、例えば断面がＵ字状の複数の軟磁性部材からなる磁心を使用し、バスバーの中腹部を覆うように軟磁性部材を組み合わせる方法がある。しかし、この方法は、合金薄帯を巻いた巻磁心のような、周方向に一体の磁心を用いる場合には、磁心を分割することが難しい。また分割した場合には、磁気的なギャップが生じてインピーダンス特性が低下するという問題がある。
【０００８】
また、外部導体との結合を確実に行うために、バスバーの端部は、磁心に対して所定の位置になるように位置決めされる。
【０００９】
つまり、コモンモードチョークは、磁心へのバスバー貫通と、バスバー端部の位置決めを考慮し、かつ、極力簡易な組立てで両方の作業を行える構造が望ましい。しかし、従来の導体貫通型磁心ユニットでは、その作業性を両立させることは非常に困難である。
【００１０】
本発明は、このような課題に対処するためになされたもので、磁心へのバスバーの貫通、及び、磁心へのバスバー端部の位置決めが容易な、コモンモードチョークを提供することを目的としている。
【課題を解決するための手段】
【００１１】
本発明は、環状の磁心と、前記磁心を覆う環状のケースと、前記ケースの中空部を２本のバスバーが貫通するコモンモードチョークであって、
前記バスバーは、中腹部に樹脂部を備え、かつ、前記ケースの軸方向に見た場合に、一端側は、前記ケースの中空部より外側まで屈曲し、他端側は中空部の内側にあり、
前記２本のバスバーは、屈曲した側が前記ケースのそれぞれ別側に配置されるように、前記ケースに貫通され、かつ、それぞれの前記樹脂部を介して前記中空部内で並列に配置されるとともに、前記樹脂部により、前記軸方向の所定位置で、前記ケースに係止されていることを特徴とする。
また、前記バスバーは、前記樹脂部に形成された鍔部により、前記ケースの端部で係止されている構造とすることができる。
また、前記ケースの軸方向において、前記樹脂部の端部は、他の樹脂部の端部と異なる位置にある構造とすることができる。
また、それぞれの前記樹脂部は、前記中空部内で互いに隣接した状態で、前記ケース内周面に接している構造とすることができる。
また、前記樹脂部とケースは、前記の接する部分において、前記バスバーの抜け落ちを防止可能な嵌合部が形成されている構造とすることができる。
また、環状の磁心は、周方向で一体的に形成されたものを用いることができる。
また、前記磁心とケースは、軸方向に複数配置される構造とすることができる。
また、前記樹脂部は、バスバーの中腹部にインジェクション成型されたものとすることができる。
【発明の効果】
【００１２】
上述のように、本発明のコモンモードチョークは、簡易な組立てで、環状の磁心へのバスバー貫通と、バスバーの固定を、簡易に行うことができる。
【図面の簡単な説明】
【００１３】
【図１】実施形態のコモンモードチョークの一例である。
【図２】図１のコモンモードチョークの、ケースと樹脂部を組み合わせた状態を示す図である。
【図３】図１のコモンモードチョークの、樹脂部を示す図である。
【図４】実施形態のコモンモードチョークのケースの蓋部を示す図である。
【図５】実施形態のコモンモードチョークのケースの底部を示す図である。
【図６】実施形態の環状の磁心を示す図である。
【図７】実施形態のバスバーを示す図である。
【図８】別の実施形態での、ケースと樹脂部を組み合わせた状態を示す図である。
【図９】図８で用いた樹脂部を示す図である。
【図１０】図８で用いたケース底部を示す図である。
【図１１】さらに別の実施形態での、ケースと樹脂部を組み合わせた状態を示す図である。
【図１２】図１１で用いた樹脂部を示す図である。
【図１３】実施形態のコモンモードチョークにおける、樹脂部の端部の状態を説明するための図である。
【図１４】別の実施形態のコモンモードチョークの一例である。
【図１５】図１４で用いたバスバーを示す図である。
【発明を実施するための形態】
【００１４】
本実施形態のコモンモードチョークについて説明する。
図１は本実施形態のコモンモードチョーク１０であり、図１（ａ）は正面図、図１（ｂ）は下側面図、図１（ｃ）は左側面図である。
このコモンモードチョーク１０は、環状の磁心（図示せず）を覆う環状のケース３ａ，３ｂを備え、前記ケース３ａ，３ｂの中空部を２本のバスバー１ａ，１ｂが貫通する。
また、前記バスバー１ａ，１ｂは、中腹部に樹脂部（ボビン）２ａ，２ｂを備え、かつ、前記ケース３ａ，３ｂの軸方向に見た場合に、一端側（図１（ａ）のバスバー１ａの左側端部、及び、バスバー１ｂの右側端部）は、前記ケースの中空部より外側まで屈曲し、他端側は中空部の内側にあり、（図１（ｃ）を参照）
前記２本のバスバー１ａ，１ｂは、屈曲した側が前記ケース３ａ，３ｂの軸方向のそれぞれ別側に配置されるように、前記ケースに貫通され（図１（ａ）のバスバー１ａの左側端部、及び、バスバー１ｂの右側端部）、かつ、それぞれの前記樹脂部（ボビン）２ａ，２ｂを介して前記中空部内で並列に配置されるとともに、前記樹脂部（具体的には、後述図３のボビンの鍔２１）により、前記軸方向の所定位置で、前記ケースに係止されている。
バスバーの他端側がケースの中空部を貫通可能な形状であるので、他端側から中空部に挿入すれば、簡単に磁心内部にバスバーを貫通させることができる。
また、バスバーの屈曲した側がケースの軸方向のそれぞれ別側に配置されるので、バスバーの端部と外部導体とを結合することが容易である。
さらに、バスバーの中腹部に樹脂部を設けているので、２本のバスバーが樹脂部を介して中空部内に配置されるので、バスバー同士を離して配置することができ、絶縁効果を高めることができる。樹脂は絶縁性の高いものを用いることが好ましい。
また、樹脂部により軸方向の所定位置でケースに係止するので、バスバーを貫通させつつ、軸方向でのバスバーの位置決めが容易である。
また、環状の磁心は環状のケースに覆われるので、外部からの衝撃等による磁心の破損を抑制できる。
【００１５】
バスバー１ａ，１ｂは、樹脂部（ボビン）２ａ，２ｂの一端側に形成された鍔部（図３の２１）により、前記ケース（３ａ，３ｂ）の端部で係止されている。
かかる構成によれば、鍔部とケースが接触しているかどうかを目視で確認すれば、バスバーが軸方向において目標位置にあることが確認できるので、組立作業が容易である。
また、鍔部がバスバーの屈曲する一端側に形成されているので、バスバーの他端側をケースに挿入してそのまま押し込むワンアクションで、鍔部がケースの端部に当接し、ケースとバスバーの位置決めが完了するので、位置決めの作業が容易である。
また、樹脂部の中空部内を通さない部位に鍔部を設けるので、鍔部の設計が容易である。
【００１６】
ケースの軸方向において、ボビン２ａ又は２ｂの端部は、他のボビン２ｂ又は２ａの端部と異なる位置にある構造とすることができる。かかる構成によれば、バスバー間の沿面距離を長くすることができる。沿面距離とは、２つの導電性部分間の、双方を隔てる絶縁物の表面に沿って計測した最短距離である。この沿面距離は、導体間の絶縁性を示す指標として用いられる。以下にその理由を詳述する。
図１３は、図１のケースの端部部分の模式図である。説明のため、ボビン２ａが存在する範囲を太線の斜線部で、ボビン２ｂが存在する範囲を細線の斜線部で示す。また、各部の寸法は、図１と変えた部位がある。
ボビン２ａと２ｂの端部が同じ位置にある場合、沿面距離は、バスバー１ａ，１ｂ間の空間距離と同じ距離Ｗ１である。例えば、ボビンの端部を、バスバーの長手方向に垂直な方向とせず、斜めにすることでも沿面距離を長くできるが、ボビンの形状が複雑になり成形が難しくなる。特に、バスバー同士の距離が２ｍｍ以下になるコモンモードチョークの場合、バスバーで挟まれる側の樹脂部の肉厚は１ｍｍ以下となるので、複雑な形状に成形することは困難である。
上記のように、ボビンの端部の位置を変えることで、屈折する太線の矢印の間の長さを沿面距離とすることができ、バスバー１ａ，１ｂ間の空間距離Ｗ１よりも遥かに長い沿面距離を確保することができる。これにより、バスバー間の絶縁性を高めることができる。
【００１７】
それぞれの樹脂部（ボビン）２ａ，２ｂは、中空部内で互いに隣接した状態で、ケース（３ａ，３ｂ）内周面に接している構造とすることができる。
コモンモードチョークは、それぞれの導体に流れる電流により、磁心に流れる磁束が極力打ち消されるような、ディファレンシャルモードを維持できる構造とする必要がある。かかる構成によれば、それぞれの樹脂部がケース内周面に接することで、ケースの軸に垂直な方向に対して固定されるので、バスバーがケース内部で位置決めされる。これにより、それぞれのバスバーが、磁心に対して一定の距離を保つように中空部で位置が固定され、バスバーの位置の変動によって磁心で発生する磁束量の変化を極力小さくでき、その結果、ディファレンシャルモードを維持できる。
【００１８】
樹脂部（ボビン）２ａ，２ｂとケース３ａ，３ｂは、両者が接する部分において、バスバーの抜け落ちを防止可能な嵌合部（具体的には、図９の溝２５等）が形成されている構造とすることができる。
かかる構成によれば、バスバーをケースの中空部に挿入した後も、軸方向での位置ずれが抑制できるので、さらに確実にバスバーの端部と外部導体との結合スペースを確保できる。
【００１９】
また、環状の磁心（図６の４）は、周方向で一体的に形成されたものを用いることができる。
本発明のコモンモードチョークは、かかる構成を採用しているので、周方向で分割した磁心を用いずとも、バスバーの貫通及び位置決めが容易であるので、環状の磁心を切断加工等により分割せずとも、そのまま使用することができる。
【００２０】
また、前記樹脂部（ボビン）２ａ，２ｂは、バスバー１ａ，１ｂの中腹部にインジェクション成型されたものを用いることができる。
インジェクション成型は成形の自由度が大きく、前記の鍔部や嵌合部の成形が容易である。また、成形される鍔部や嵌合部の寸法精度も高くできる。そのため、より確実にケースとバスバーの位置決めを行うことができる。
【００２１】
次に本発明をさらに具体的に説明するが、これら実施例により本発明が限定されるものではない。
（実施例）
図１は、本発明に係るコモンモードチョーク１０の外観を示す図である。
コモンモードチョーク１０は、環状の磁心２個（図示せず）と、それぞれの環状の磁心を覆う環状のケース３ａ，３ｂと、２本のバスバー１ａ，１ｂと、バスバー同士、及び、バスバー１ａとケース３ａ、３ｂを絶縁するボビン２ａと、バスバー同士、及び、バスバー１ｂとケース３ａ、３ｂを絶縁するボビン２ｂからなる。
【００２２】
バスバー１ａ，１ｂは、同じ形状に形成されている。図７は、バスバーを示す図であり、図７（ａ）はバスバーの正面図、図７（ｂ）はその側面図である。バスバー１ａ，１ｂの断面は矩形状である。また、両端に外部導体とボルトで接続するための孔１１が形成されている。また、中央には、樹脂部がインジェクション成型される直線状の中腹部が形成され、両端部は樹脂部が形成されず導体が露出している。一端側は屈曲部１２で曲げられており、図７（ａ）での縦方向での最大幅（中腹部での長手方向の直角方向における最大幅）は、後述するケースの中空部の直径よりも大きい。また、他端側は、直線状に形成されている。
バスバーの材質は、導電率  ９６％以上の銅である。また、バスバーの断面積Ｓ（ｍｍ２）は、使用する電流容量（Ａ）を、電流密度（Ａ／ｍｍ２）で割ったもので決定できる。電流密度は、例えば、ＪＩＳ規格８４８０で複数にランク分けされた電流容量に対する値が決められている。バスバーの断面積とともに、磁心のサイズが決定される。
【００２３】
ボビン２ａ，２ｂは、同じ形状に形成されており、バスバー１ａ，１ｂの中腹部に固着される樹脂部材である。本実施形態ではインジェクション成型により樹脂部材を成形した。但し図３は、説明のために、ボビン単体の状態を記載した。
図３はボビン２ａの斜視図であり、図３（ａ）はボビンを斜め上から見た図であり、図３（ｂ）は図３（ａ）と反対の方向から見た図である。ボビン２ａ，２ｂは、半円柱状であり、円弧状の外周面２３と平面状の接触部２４を備える。
また、ボビン２ａ，２ｂは、バスバーが固定される貫通孔２２を有する。ボビン２ａ，２ｂはバスバーの中腹部を覆うので、バスバー１ａ，１ｂは、ケースの中空部に配置された状態で絶縁状態を維持できる。また、一方のボビンに亀裂が入ったとしても、他方のボビンで絶縁状態を維持することができる。
ボビンの材質は、例えば熱可塑性樹脂（例  ＰＢＴ樹脂  ＰＥＴ樹脂）等を用いることができ、必要によりガラス繊維を含ませて機械的強度を高めたものも使用できる。
さらに、ボビン２ａ，２ｂは、一端側に鍔２１が形成されている。鍔２１は、半円の板状にバスバーの貫通孔が形成されたものであり、この半円はケースの中空部よりも大きな径を有する。この鍔は、ボビンを、ケースに対して、軸方向の所定位置に固定する役目を持つ。この鍔２１の形状は特に限定されず、最大幅がケースの中空部の径よりも大きければよい。
ボビン２ａ，２ｂは、平面状の接触部２４同士を対向させ、互いに隣接することで、円柱状になる。なお、ボビン２ａ，２ｂの鍔がそれぞれ異なる端部側になるようにボビン２ａ，２ｂが中空部内で隣接される。
【００２４】
なお、バスバー１ａ，１ｂの最も広い平面部は、ボビン２ａ，２ｂの接触部２４の平面と平行になるように、ボビン内に固定される。そのため、ボビン２ａ，２ｂの接触部２４同士を対向させ、互いに隣接させることで、バスバー１ａと１ｂが平行になるので、磁心の軸断面上において、内径部でのバスバー１ａ，１ｂの占める面積割合を大きくでき、つまりは中空部におけるバスバーの電流が通る有効断面積を大きくすることができる。そのため、このバスバーおよびボビンは、大電流化の対応が容易なコモンモードチョークの製造に貢献できる。
また、バスバーは、その両端がボビンから突出するように固定される。バスバーの一端側に形成される屈曲部は、ボビンの鍔が備えられた側に配置される。
かかる構成により、バスバー１ａ，１ｂの直線状の端部をケースの内径部に挿入するだけで、磁心にバスバーを貫通させることができる。また、ボビンの鍔がケースに係止するので、ボビンをケースに挿入するだけでバスバーと磁心とを軸方向の所定位置で固定できる。
【００２５】
環状のケースについて説明する。図４はケースの蓋部３１、図５はケースの底部３２の斜視図である。図中、破線はケース内部の輪郭を示している。また、図番から伸びる線において、先端側に黒丸がある細線は、ケース内部の部位を指している。
ケースの蓋部３１は、蓋側中空部３１１が形成されている。また、内部には、環状の磁心の一部を収納可能な、ドーナツ状の蓋溝３１２が形成され、その開口部側（図面下側）には、底部３２と組み合わせるための段差３１３が形成されている。
また、ケースの底部３２は、底側中空部３２１が形成されている。また、内部には、環状の磁心の一部を収納可能な、ドーナツ状の底溝３２２が形成され、その開口部側（図面上側）には、蓋部３１と組み合わせるための段差３２３が形成されている。
【００２６】
ケース３は、蓋部３１と底部３２を組み合わせたものであり、外観は円環状である。組み合わされたケース３は、内径側に、円柱状の中空部が形成される。この中空部は、ボビン２ａ，２ｂを互いに隣接させた状態で挿入可能であり、かつ、内周面とボビン２ａ，２ｂの外周面２３とが摺動可能となるように、径の寸法が設定される。
【００２７】
ケースの材質は、例えば熱可塑性樹脂（例  ＰＢＴ樹脂  ＰＥＴ樹脂）等を用いることができ、必要によりガラス繊維を含ませて機械的強度を高めたものも使用できる。
なお、本実施形態のコモンモードチョークでは、磁心を内包したケースを、同軸で２つ繋げて使用している。
【００２８】
環状の磁心について説明する。図６は、磁心４の斜視図である。磁心４は円環状に形成されている。
この磁心は、既知の軟磁性材料で作製できる。例えば、フェライト材を粉末成形して作製することもできるし、アモルファス金属薄帯やナノ結晶金属薄帯を巻いて作製することもできる。
本実施形態では、ナノ結晶化が可能なアモルファス金属薄帯（厚さ２５μｍ）を巻いて積層体とし、結晶化開始温度以上に加熱してナノ結晶化した磁心を用いている。
この磁心４は、前記のケース底部３２の底溝３２２、及び、ケース蓋部３１の蓋溝３１２で形成される空間に収納される。磁心４がケース内部で動かないようにすることで、ケースに樹脂部を介して固定されるバスバーとの距離を固定できる。この距離を固定するため、ケース内の空間と磁心４が勘合するように設計することができる。また、磁心４とケースとは接着剤等で固定することもできる。
【００２９】
バスバーの固定方法について、さらに詳述する。
バスバー１ａはボビン２ａを介して、バスバー１ｂはボビン２ｂを介して、ケース３ａ、３ｂに固定される。
図２は、ボビン２ａ，２ｂと、磁心を内包したケース３ａ，３ｂを組み合わせた上体を示す斜視図である。図中では、ケース内のボビンの外観は破線で示している。
ボビン２ａ，２ｂは、軸方向に並べられたケース３ａ，３ｂの中空部に挿入される。ボビン２ａは、ケースの中空部に、軸方向の一端側から、鍔が無い方の端部から挿入され、鍔２１がケースの軸方向端部に当接するまで挿入される。鍔２１により、ボビン２ａは、軸方向の所定位置で、ケースに係止される。ボビン２ａが挿入された後、ケースの他端側から、ボビン２ｂが、鍔が無い方の端部から挿入される。
ボビン２ａと２ｂは、平面部同士を対向させて隣接することで円柱状となるが、その外周面はケース３ａ，３ｂの中空部の内周面と摺動する程度に設計されている。そのため、挿入されたボビン２ａ，２ｂは、軸方向だけでなく、軸断面上でも、磁心に対して位置が固定される。
【００３０】
図１３は、図１の、ケース端部側の拡大図である。本実施形態のコモンモードチョークは、ケースの軸方向において、樹脂部の端部２ａ又は２ｂは、他の樹脂部２ｂ又は２ａの端部と異なる位置にあるので、両者の間で段差がある。これにより、沿面距離が長くなり、バスバー間の絶縁性が高めらる。
また、この段差は、バスバーをケースに係止するための鍔部２１で形成できるので、簡易な構成で、バスバーの固定と沿面距離の長距離化を行うことができる。
【００３１】
以下に、別の本実施形態について説明する。なお、上記の説明と重複する構造については省略することがある。
【００３２】
図８〜１０は、樹脂部とケースの接する部分において、バスバーの抜け落ちを防止可能な嵌合部が形成されている実施形態を示す図である。
磁心は図６に、バスバーは図７に示すものを用いることができる。
図１０は、この実施形態に用いられるケース底部３２ｃの上面図と側面図である。図５の底部３２ｃに対し、凸部３２４が中空部３２１の内周面に形成されている点で異なり、それ以外は同じである。
図９は、この実施形態に用いられるボビンである。図３のボビン１ａ，１ｂに対し、溝部２５が形成されている点で異なり、それ以外は同じである。溝部２５は、外周面２３に形成され、ケースの底部３２ｃの凸部３２４の高さよりも若干深く形成されている。溝部２５は、鍔部２１が形成されていない側の端部から軸方向に向けて伸びる１本の直線溝と、その周方向に伸びる２本の周溝からなる。２本の周溝は、それぞれ、ケースに鍔部２１が係止した状態で、底部３２ｃの凸部３２４が形成された位置にある。
【００３３】
ボビン（バスバー）とケースの軸方向の位置決め方法、及び、バスバーの抜け落ちを防止する嵌合方法について、図８を用いて説明する。
ボビンはバスバーに固着されているので、ボビンがケースから抜け落ちなければ、同様にバスバーの抜け落ちも無い。
ボビン２ｃ，２ｄは、ケース３ｃ、３ｄの凸部３２４が、溝部２５と摺動するように、中空部に挿入される。ボビン２ｃは、ケースの中空部に、軸方向の一端側から、鍔が無い方の端部から挿入され、鍔２１がケースの軸方向端部に当接するまで挿入される。鍔２１により、ボビン２ｃは、軸方向の所定位置で、ケースに係止される。ボビン２ｃが挿入された後、ケースの他端側から、ボビン２ｄが、鍔が無い方の端部から挿入される。
挿入されたボビン２ｃ，２ｄは、ケース３ｃ、３ｄに対して、相対的に回転される。これにより、ケースの凸部３２４は、溝部２５の直線溝から周溝に移動する。この状態にすることで、ケースの凸部３２４が周溝の軸方向の壁面に係止され、ボビン２ｃ，２ｄとケース３ｃ、３ｄが嵌合する。かかる構成は、図３のボビンの効果に加え、ボビンやバスバーの抜け落ちを防止する効果がある。
【００３４】
また、その他の実施形態として、ボビンの鍔部２１を無くし、ケースの凸部３２４と溝部２５の終端の壁部を係止させて、ケースとボビンの軸方向の位置決めを行う構成も採用できる。
かかる構成によれば、溝部だけで、ケースとボビンの軸方向の位置決めと、バスバーの抜け落ちの防止が可能であり、ボビンの鍔部を無くせるので、軽量化が可能である。また、形状が簡略化されるのでボビンの製造が容易である。
なお、この実施形態においても、ケースの軸方向において、樹脂部の端部が、他の樹脂部の端部と異なる位置にあるように設計することで、沿面距離を長くすることができる。
【００３５】
図１１、図１２は、さらに別の実施形態を示す図であり、ボビンの断面形状が異なるものである。
磁心は、図６に示すものを用いることができる。バスバーは図７に、ケースは図４の蓋部と図１０の底部に示すものを用いることができる。
図１２は、この実施形態に用いられるボビンである。図９のボビン２ｃ，２ｄに対し、外周面２３の一部が、側壁２６となっている点で異なり、それ以外は同じである。軸方向の位置決め方法、及び、バスバーの抜け落ちを防止する嵌合方法も、図８での説明と同じである。
図１２のボビン１ｅ，１ｆは、ケース３ｃ、３ｄの中空部内で互いに隣接した状態で、外周面２３がケース内周面に接しているが、側壁２６は接していない。かかる構成によれば、図９のボビン１ｃ，１ｄの効果に加え、貫通孔２２の側面の肉厚が薄くなり、軽量化、及び材料費の低減の効果がある。
【００３６】
なお、この実施形態においても、ボビンの鍔部２１を無くし、ケースの凸部３２４と溝部２５の終端の壁部を係止させて、ケースとボビンの軸方向の位置決めを行う構成も採用できる。
なお、この実施形態においても、ケースの軸方向において、樹脂部の端部が、他の樹脂部の端部と異なる位置にあるように設計することで、沿面距離を長くすることができる。
【００３７】
図１４、図１５は、さらに別の実施形態を示す図であり、図１のコモンモードチョークに対して、バスバーの形状が異なるものである。軸方向の位置決め方法、及び、バスバーの抜け落ちを防止する嵌合方法も、図１での説明と同じである。
図１５は、この実施形態に用いられるバスバーである。図７のバスバー１ａ，１ｂは、屈曲部１２の先端側と中央側とも、同一面内になるように形成されているのに対し、図１２のバスバーは、屈曲部１２の位置で、折り曲げられるように形成されている。かかる構成によれば、図１５のバスバーは、屈曲部を折り曲げるだけで形成することができ、製造が容易である。
【符号の説明】
【００３８】
１：バスバー、２：ボビン、３：ボビン（樹脂部）、４：磁心、１０：コモンモードチョーク、１１：孔（バスバー）、１２：屈曲部（バスバー）、２１：鍔部（ボビン）、２２：貫通孔（ボビン）、２３：外周面（ボビン）、２４：接触部（ボビン）、２５：溝部（ボビン）、２６：側壁（ボビン）、３１蓋部（ケース）、３２：底部（ケース）、３１１、３２１：中空部（ケース）、３１２：蓋溝、３２２：底溝、３１３：段差、３２４：凸部
【図１】
2019169499.tif 000003
【図２】
2019169499.tif 000004
【図３】
2019169499.tif 000005
【図４】
2019169499.tif 000006
【図５】
2019169499.tif 000007
【図６】
2019169499.tif 000008
【図７】
2019169499.tif 000009
【図８】
2019169499.tif 000010
【図９】
2019169499.tif 000011
【図１０】
2019169499.tif 000012
【図１１】
2019169499.tif 000013
【図１２】
2019169499.tif 000014
【図１３】
2019169499.tif 000015
【図１４】
2019169499.tif 000016
【図１５】
2019169499.tif 000017